【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
観察者の両眼のそれぞれへの映像信号に対応した第１のビーム光および第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、
前記第１および第２の走査ビーム光のそれぞれから前記観察者の両眼のそれぞれで観察可能な画像を形成する形成手段と、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御する制御手段とを備えることを特徴とする映像表示装置。
【請求項２】
前記反射手段は、更に、前記反射面を前記第１の軸と直交する第２の軸を中心として往復回転させて前記第１および第２の走査ビーム光を前記第１の方向に直交する第２の方向において走査させることにより、前記第１および第２の走査ビーム光を２次元走査させることを特徴とする請求項１に記載の映像表示装置。
【請求項３】
前記形成手段は、
前記第１および第２の走査ビーム光のそれぞれが投影されることにより、第１および第２の映像光を生成する第１および第２の拡散板と、
前記第１および第２の拡散板で生成された前記第１および第２の映像光を、前記観察者のそれぞれの眼に導く導光手段とを有することを特徴とする請求項１または２に記載の映像表示装置。
【請求項４】
前記第２の走査ビーム光に対応する映像信号の少なくとも１走査ラインの映像信号を保持する保持手段を更に備え、
前記生成手段は、前記保持手段に保持された１走査ラインの映像信号を逆方向から読み出して前記第２のビーム光を生成し、
前記第１の走査ビーム光の前記第１の方向における走査方向は前記映像信号の走査方向と一致し、前記第２の走査ビーム光の前記第１の方向における走査方向は前記映像信号の走査方向と逆方向となる、ことを特徴とする請求項１乃至３のいずれか１項に記載の映像表示装置。
【請求項５】
前記第１および第２の走査ビーム光の前記第１の方向における走査方向をともに映像信号の走査方向と一致させる光学部材を更に備え、
前記生成手段は、前記映像信号の入力順に従って、前記第１および第２のビーム光を生成することを特徴とする請求項１乃至３のいずれか１項に記載の映像表示装置。
【請求項６】
前記生成手段は、
前記反射面が前記第２の軸を中心とした往復回転のうちの一方である第３の回転方向へ回転する間は、一方の眼に対応した映像信号の走査方向の行のうちの奇数行に対応したビーム光を前記第１のビーム光として生成し、他方の眼に対応した映像信号の偶数行に対応したビーム光を前記第２のビーム光として生成し、
前記反射面が前記第３の回転方向とは反対の第４の回転方向へ回転する間は、前記一方の眼に対応した映像信号の偶数行に対応したビーム光を前記第１のビーム光として生成し、前記他方の眼に対応した映像信号の奇数行に対応したビーム光を前記第２のビーム光として生成することを特徴とする請求項２に記載の映像表示装置。
【請求項７】
前記反射面が前記第３の回転方向へ回転する間、前記一方の眼に対応した映像信号の偶数行と、前記他方の眼に対応したの映像信号の奇数行とを保持する保持手段を更に備え、
前記生成手段は、前記反射面が前記第４の方向へ回転する間は、前記保持手段に保持された映像信号を用いて前記第１および第２のビーム光を生成することを特徴とする請求項６に記載の映像表示装置。
【請求項８】
前記第１および第２のビーム光を前記反射面へ入射させるための第１および第２の光路を有する光学部材を更に備え、
前記制御手段は、前記反射面が前記第２の軸を中心とした往復回転のうちの一方である第３の回転方向へ回転する間は前記第１の光路から前記第１および第２のビーム光を前記反射面に入射して前記映像信号による画像の上側の画像を形成するための前記第１および第２の走査ビーム光を生成し、前記反射面が前記第３の回転方向とは反対の第４の回転方向へ回転する間は前記第２の光路から前記第１および第２のビーム光を前記反射面に入射して前記映像信号による画像の下側の画像を形成するための前記第１および第２の走査ビーム光を生成するように、前記生成手段と前記光学部材を制御することを特徴とする請求項２に記載の映像表示装置。
【請求項９】
前記光学部材は、前記上側の画像と前記下側の画像を形成する前記第１および第２の走査ビーム光の走査順が、前記映像信号の走査順と一致するように、前記第１および第２の走査ビーム光の光路を規定することを特徴とする請求項８に記載の映像表示装置。
【請求項１０】
前記生成手段は、前記第１および第２のビーム光を発生するための個別の光源を有することを特徴とする請求項１乃至９のいずれか１項に記載の映像表示装置。
【請求項１１】
前記生成手段は、共通の光源から前記第１および第２のビーム光を生成するための光偏向素子を有することを特徴とする請求項１乃至９のいずれか１項に記載の映像表示装置。
【請求項１２】
映像信号が表す１フレームの画像を左画像と右画像に分割してタイリング表示する映像表示装置であって、
映像信号の１走査ラインについて、前記左画像に対応した第１のビーム光および前記右画像に対応した第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御する制御手段と、
前記反射面の１回の往復の間に生成された前記第１および第２の走査ビーム光の走査方向を、前記映像信号の走査方向と一致させる光学手段とを備えることを特徴とする映像表示装置。
【請求項１３】
前記反射手段は、更に、前記反射面を前記第１の軸と直交する第２の軸を中心として往復回転させて前記第１および第２の走査ビーム光を前記第１の方向に直交する第２の方向において走査させることにより、前記第１および第２の走査ビーム光を２次元走査させることを特徴とする請求項１２に記載の映像表示装置。
【請求項１４】
前記左画像と前記右画像に重なり部分を設け、前記重なり部分において前記第１の走査ビーム光の走査軌跡と前記第２の走査ビーム光の走査軌跡の一部が重なるようにしたことを特徴とする請求項１３に記載の映像表示装置。
【請求項１５】
前記左画像および前記右画像の各々を更に上下に分割して表示するための第１および第２の光路を有し、前記第１および第２のビーム光を前記第１および第２の光路のいずれかにより前記反射面へ入射させる光学部材を更に備え、
前記制御手段は、
前記反射面が前記第２の軸を中心とした往復回転のうちの一方である第３の回転方向へ回転する間は前記第１の光路からビーム光を前記反射面に入射して上側の画像を形成するための走査ビーム光を生成し、前記反射面が前記第３の方向とは反対の第４の回転方向へ回転する間は前記第２の光路からビーム光を前記反射面に入射して下側の画像を形成するための走査ビーム光を生成するように、前記生成手段と前記光学部材を制御することを特徴とする請求項１３または１４に記載の映像表示装置。
【請求項１６】
前記第１および第２の走査ビームにより形成される前記左画像および前記右画像を、それぞれ観察者の片方ずつの眼に導く導光手段を更に備えることを特徴とする請求項１２乃至１５のいずれか１項に記載の映像表示装置。
【請求項１７】
観察者の両眼のそれぞれに、前記左画像と前記右画像からなる左眼用画像と右眼用画像を観察させるべく、前記生成手段と、前記反射手段と、前記制御手段と、前記光学手段とがそれぞれの眼に対応して設けられ、前記反射手段の前記反射面は、前記左眼用画像と前記右眼用画像の形成において共有されることを特徴とする請求項１２に記載の映像表示装置。
【請求項１８】
前記第１の走査ビーム光および前記第２の走査ビーム光により像を生成する際に、走査時における光路長差により発生する歪みを補正するための歪み補正手段を更に備えることを特徴とする請求項１乃至１７のいずれか１項に記載の映像表示装置。
【請求項１９】
前記歪み補正手段は、前記映像信号によって表される画像を、前記歪みに対応させて歪ませることにより、歪みの補正を行うことを特徴とする請求項１８に記載の映像表示装置。
【請求項２０】
観察者の両眼のそれぞれの映像に対応した第１のビーム光および第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、
前記第１および第２の走査ビーム光のそれぞれから前記観察者の両眼のそれぞれで観察可能な画像を形成する形成手段とを備えた映像表示装置の制御方法であって、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御することを特徴とする映像表示装置の制御方法。
【請求項２１】
映像信号の１走査ラインについて、左画像に対応した第１のビーム光および右画像に対応した第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、を備え、
映像信号が表す１フレームの画像を前記左画像と前記右画像に分割してタイリング表示する映像表示装置の制御方法であって、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御し、
前記第２の走査ビームの光路中に設けられた光学部材により、前記反射面の１回の往復の間に生成された前記第１および第２の走査ビーム光の走査方向を、前記映像信号の走査方向と一致させる、ことを特徴とする映像表示装置の制御方法。
【手続補正２】
【補正対象書類名】明細書
【補正対象項目名】０００８
【補正方法】変更
【補正の内容】
【０００８】
上記の課題を解決するための本発明の一態様による映像表示装置は、以下の構成を備える。即ち、
観察者の両眼のそれぞれへの映像信号に対応した第１のビーム光および第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、
前記第１および第２の走査ビーム光のそれぞれから前記観察者の両眼のそれぞれで観察可能な画像を形成する形成手段と、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御する制御手段とを備える。
【手続補正３】
【補正対象書類名】明細書
【補正対象項目名】０００９
【補正方法】変更
【補正の内容】
【０００９】
また、上記の課題を解決するための本発明の他の態様による映像表示装置は、以下の構成を備える。即ち、
映像信号が表す１フレームの画像を左画像と右画像に分割してタイリング表示する映像表示装置であって、
映像信号の１走査ラインについて、前記左画像に対応した第１のビーム光および前記右画像に対応した第２のビーム光を生成する生成手段と、
前記第１のビーム光と前記第２のビーム光を反射する反射面を有し、前記反射面を第１の軸を中心として往復回転させることにより前記第１および第２のビーム光を第１の方向において走査する第１および第２の走査ビーム光へ変換する反射手段と、
前記反射面が前記往復回転の第１の回転方向へ回転する間は前記第１のビーム光を反射して前記第１の走査ビーム光を生成し、前記反射面が前記第１の回転方向とは反対の第２の回転方向へ回転する間は前記第２のビーム光を反射して前記第２の走査ビーム光を生成するように前記生成手段および前記反射手段を制御する制御手段と、
前記反射面の１回の往復の間に生成された前記第１および第２の走査ビーム光の走査方向を、前記映像信号の走査方向と一致させる光学手段とを備える。